(57)【特許請求の範囲】
【請求項１】
１以上のタグと、タグリーダと、照合用情報を用いた照合により解錠される電気錠とからなる電気錠システムであって、
前記タグリーダは、タグ識別子と登録要求情報とを含む登録要求信号を前記タグから受信した場合に限って、当該タグ識別子を、前記照合用情報として記憶し、
前記タグリーダは、さらに、自機が登録モードである登録モード期間中に、登録許可情報を含むＬＦ帯の登録許可信号を送信し、
登録要求信号は、ＵＨＦ帯の信号であり、
前記タグは、前記タグリーダから送信された登録許可信号を受信した場合に限って登録要求信号を送信し、
前記タグリーダは、前記記憶を、登録要求信号の受信が、前記登録モード期間中になされた場合に限って行う
ことを特徴とする電気錠システム。
【請求項２】
前記タグリーダは、
ユーザからの所定の操作を受け付ける操作受付部と、
前記操作受付部が、前記所定の操作を受け付けた場合に、当該所定の操作を受け付けた時点から所定の期間、前記タグリーダを前記登録モードにするモード変更部とを有し、
前記登録許可信号の送信を、前記モード変更部によって前記登録モードにされた場合に行う
ことを特徴とする請求項１記載の電気錠システム。
【請求項３】
前記タグは、
ユーザからの押下操作を受け付けるタグボタンを有し、
前記登録要求信号の送信を、前記タグリーダから送信された登録許可信号を受信した後に、前記タグボタンによって前記押下操作が受け付けられた場合に限って行う
ことを特徴とする請求項２記載の電気錠システム。
【請求項４】
前記タグは、前記登録要求信号の送信を、前記登録要求情報として、前記タグリーダから送信された登録許可信号に含まれる登録許可情報を用いて行う
ことを特徴とする請求項１記載の電気錠システム。
【請求項５】
１以上のタグと、タグリーダと、照合用情報を用いた照合により解錠される電気錠とからなる電気錠システムであって、
前記タグリーダは、自機が登録モードとなる登録モード期間中に、自機のタグリーダ識別子を含むＬＦ帯の第１信号を送信し、
前記タグは、前記タグリーダから、第１信号を受信した場合に、当該受信によって得られた電磁エネルギーを利用して、自機のタグ識別子を含むＬＦ帯の第２信号を送信し、
前記タグリーダは、前記登録モード期間中に、第２信号をタグから受信した場合に、当該第２信号に含まれるタグ識別子を、前記照合用情報として記憶し、
前記タグが前記タグリーダの近傍にかざされている場合に限って、前記タグリーダが前記タグから送信された第２信号を受信するように、前記タグにおける第２信号の送信強度と前記タグリーダにおける第２信号の受信感度とが設定され、
前記タグが前記タグリーダの前記近傍にかざされていない場合であっても、前記タグが前記タグリーダから、前記近傍よりも広い所定の範囲内に存在していれば、前記タグが前記タグリーダから送信された第１信号を受信するように、前記タグリーダにおける第１信号の送信強度と前記タグにおける第１信号の受信感度とが設定されている
ことを特徴とする電気錠システム。
【発明の詳細な説明】
【技術分野】
【０００１】
本発明は、タグとタグリーダと電気錠とを備える電気錠システムに関する。
【背景技術】
【０００２】
従来、タグと、タグからタグ識別子を読み取るタグリーダと、タグリーダが読み取ったタグ識別子が、タグリーダが記憶する照合用タグ識別子と一致する場合に、扉等の解錠を行う電気錠とからなる電気錠システムがある。
従来の電気錠システムの一例として、例えば、特許文献１に記載されているロッカー管理システムがある。
【０００３】
このロッカー管理システムの例では、電池を内蔵せずに、外部から供給される電磁エネルギーによって動作するタイプのいわゆるパッシブタグと呼ばれるタグが用いられている。一方で、タグには、電池を内蔵するタイプのいわゆるアクティブタグと呼ばれるものもある。アクティブタグを用いる電気錠システムには、タグリーダがＬＦ（Low Frequency）帯の信号を送信し、タグがＵＨＦ（Ultra High Frequency）帯の信号を送信するものがある。
【先行技術文献】
【特許文献】
【０００４】
【特許文献１】特開２００３−３４６２４１号公報
【発明の概要】
【発明が解決しようとする課題】
【０００５】
ところで、電気錠システムには、タグリーダが、通常モードと登録モードとを有し、登録モード期間中にタグからタグ識別子を含む信号を受信した場合に、その信号に含まれるタグ識別子を、照合用タグ識別子として記憶するものがある。これにより、この電気錠システムを利用するユーザは、比較的簡単な手続きで、タグリーダに照合用タグ識別子を記憶させることができる。
【０００６】
ＵＨＦ帯の信号を送信するタグを用いた電気錠システムにおいて、上述の手続きでタグリーダに照合用タグ識別子を記憶させる場合に、タグリーダは、ＵＨＦ帯による通信距離内に存在するタグから、照合用タグ識別子を含むＵＨＦ帯の信号を受信することとなる。
しかしながら、ＵＨＦ帯による通信距離内に、タグリーダにタグ識別子を照合用タグ識別子として記憶させることを意図しないタグが存在する場合に、タグリーダは、その意図しないタグから送信されたタグ識別子を含む信号を受信してしまうことがある。この現象は、例えば、その意図しないタグが、近くに存在する別のタグリーダに対してタグ識別子を含む信号を送信する場合等に発生する。そして、このことによって、タグリーダは、その意図しないタグのタグ識別子を照合用タグ識別子として記憶してしまう。
【０００７】
そこで本発明は、係る問題に鑑みてなされたものであり、タグリーダが、意図しないタグのタグ識別子を照合用タグ識別子として記憶してしまう可能性を、従来よりも低減することができる電気錠システムを提供することを目的とする。
【課題を解決するための手段】
【０００８】
上記課題を解決するために本発明に係る電気錠システムは、１以上のタグと、タグリーダと、照合用情報を用いた照合により解錠される電気錠とからなる電気錠システムであって、前記タグリーダは、タグ識別子と登録要求情報とを含む登録要求信号を前記タグから受信した場合に限って、当該タグ識別子を、前記照合用情報として記憶することを特徴とする。
【０００９】
また、前記タグリーダは、さらに、自機が登録モードである登録モード期間中に、登録許可情報を含むＬＦ帯の登録許可信号を送信し、登録要求信号は、ＵＨＦ帯の信号であり、前記タグは、前記タグリーダから送信された登録許可信号を受信した場合に限って登録要求信号を送信し、前記タグリーダは、前記記憶を、登録要求信号の受信が、前記登録モード期間中になされた場合に限って行うことを特徴とするとしても構わない。
【００１０】
また、前記タグリーダは、ユーザからの所定の操作を受け付ける操作受付部と、前記操作受付部が、前記所定の操作を受け付けた場合に、当該所定の操作を受け付けた時点から所定の期間、前記タグリーダを前記登録モードにするモード変更部とを有し、前記登録許可信号の送信を、前記モード変更部によって前記登録モードにされた場合に行うことを特徴とするとしても構わない。
【００１１】
また、前記タグは、ユーザからの押下操作を受け付けるタグボタンを有し、前記登録要求信号の送信を、前記タグリーダから送信された登録許可信号を受信した後に、前記タグボタンによって前記押下操作が受け付けられた場合に限って行うことを特徴とするとしても構わない。
また、前記タグは、前記登録要求信号の送信を、前記登録要求情報として、前記タグリーダから送信された登録許可信号に含まれる登録許可情報を用いて行うことを特徴とするとしても構わない。
【００１２】
上記課題を解決するために本発明に係る電気錠システムは、１以上のタグと、タグリーダと、照合用情報を用いた照合により解錠される電気錠とからなる電気錠システムであって、前記タグリーダは、自機が登録モードとなる登録モード期間中に、登録許可情報を含むＬＦ帯の登録許可信号を送信し、前記タグは、前記タグリーダから、登録許可信号を受信した場合に、当該受信によって得られた電磁エネルギーを利用して、自機のタグ識別子を含むＬＦ帯の登録要求信号を送信し、前記タグリーダは、登録要求信号をタグから受信した場合に、当該登録要求信号に含まれるタグ識別子を、前記照合用情報として記憶することを特徴とする。
【発明の効果】
【００１３】
上述の構成を備える本発明に係る電気錠システムによれば、タグリーダは、タグからタグ識別子を含む信号を受信した場合であっても、その信号が、登録情報を含む登録要求信号でなければ、その信号に含まれるタグ識別子を照合用情報として記憶しない。
従って、タグリーダにタグ識別子を照合用タグ識別子として記憶させようと意図するタグに限って登録要求信号を送信させることで、タグリーダが意図しないタグのタグ識別子を照合用タグ識別子として記憶してしまう可能性を、従来よりも低減することができる。
【図面の簡単な説明】
【００１４】
【図１】電気錠システム１００の主要な構成要素を示す構成図
【図２】タグリーダ１１０と電気錠１３１と電気錠１３２との主要な回路構成を示す回路図
【図３】タグ１２１の主要な回路構成を示す回路図
【図４】通信信号の構成図
【図５】解錠処理のフローチャート
【図６】解錠処理における具体的動作例の模式図
【図７】登録処理のフローチャート
【図８】登録処理における具体的動作例の模式図
【図９】通信信号の構成図
【図１０】変形解錠処理のフローチャート
【図１１】第１変形登録処理のフローチャート
【図１２】タグリーダ１２１０の主要な回路構成を示す回路図
【図１３】タグ１３２１の主要な回路構成を示す回路図
【図１４】通信信号の構成図
【図１５】第２変形登録処理のフローチャート
【図１６】第２変形登録処理における具体的動作例の模式図
【発明を実施するための形態】
【００１５】
＜実施の形態１＞
＜概要＞
以下、本発明に係る電気錠システムの一実施形態として、複数のタグと、タグと通信するタグリーダと、ドアの施解錠を行う電気錠とからなる電気錠システムについて説明する。
【００１６】
この電気錠システムにおいて、タグリーダからタグへの送信は、ＬＦ帯の無線信号を用いてなされ、タグからタグリーダへの送信は、ＵＨＦ帯の無線信号を用いてなされる。
タグリーダは、通常モードと登録モードとを有し、照合用タグ識別子を記憶する。そして、通常モード期間中にタグからタグ識別信号を含む応答信号（後述）を受信した場合において、そのタグ識別信号が、記憶する照合用タグ識別子と一致するときに、電気錠に、有線で解錠コマンドを送信する。電気錠は、タグリーダから解錠コマンドを受信すると、ドアの解錠を行う。
【００１７】
また、タグリーダは、登録モード期間中に、タグから、タグ識別信号と登録要求フラグ（後述）とを含む登録要求信号（後述）を受信した場合に、そのタグ識別信号を、照合用タグ識別子として記憶する。
以下、本実施の形態１に係る電気錠システムの構成について、図面を参照しながら説明する。
【００１８】
＜構成＞
図１は、電気錠システム１００の主要な構成要素を示す構成図である。
同図に示されるように、電気錠システム１００は、タグリーダ１１０とタグ１２１〜タグ１２３と電気錠１３１と電気錠１３２とドア１４０とから構成される。
タグリーダ１１０は、ドア１４０に設置され、電気錠１３１と電気錠１３２とに接続され、内蔵する電池で動作し、以下の５つの機能を有する。
【００１９】
通常モード設定機能：起動時に動作モードを通常モードに設定する機能。
質問信号送信機能：通常モード期間中に、所定時間Ｔ１（例えば３６０ｍｓ）毎に、繰り返しＬＦ帯の質問信号（後述）を外部に出力する機能。
解錠機能：通常モード期間中に、タグから、タグ識別信号を含むＵＨＦ帯の応答信号を受信した場合において、そのタグ識別子が記憶する照合用タグ識別子と一致するとき、電気錠１３１と電気錠１３２とに、解錠コマンドを送る機能。
【００２０】
モード変更機能：通常モード期間中に、操作スイッチ２１２（後述）が押下操作されると、所定時間Ｔ２（例えば３０ｓ）の期間、モードを登録モードに変更し、ＬＦ帯の登録許可信号（後述）を送信する機能。
照合用タグ識別子記憶機能：登録モード期間中に、タグから、タグ識別子と登録要求フラグとを含むＵＨＦ帯の登録要求信号を受信した場合に限って、そのタグ識別子を、照合用タグ識別子として記憶する機能。
【００２１】
図２は、タグリーダ１１０と電気錠１３１と電気錠１３２との主要な回路構成を示す回路図である。
同図に示されるように、タグリーダ１１０は、ＣＰＵ（Central Processing Unit）２００とＬＦ帯送信回路２１０とＵＨＦ帯受信回路２１１と操作スイッチ２１２とＬＥＤ（Light Emitting Diode）２１３とメモリ２１４とタイマ２１５と電気錠駆動回路２１６と電気錠駆動回路２１７とＬＦ帯アンテナ２２１とＵＨＦ帯アンテナ２２２と電池２３０とから構成される。
【００２２】
ＬＦ帯アンテナ２２１は、ＬＦ帯送信回路２１０に接続される、例えばコイルであって、ＬＦ帯信号の送信に利用される。
ＬＦ帯送信回路２１０は、ＣＰＵ２００とＬＦ帯アンテナ２２１とに接続され、ＣＰＵ２００によって制御され、以下の２つの機能を有する。
機能１：ＣＰＵ２００から送られてくる信号を、ＬＦ帯の信号に変調する機能。
【００２３】
機能２：変調したＬＦ帯の信号を、ＬＦ帯アンテナ２２１を用いて外部に出力する機能。
ＵＨＦ帯アンテナ２２２は、ＵＨＦ帯受信回路２１１に接続される、例えば微小ループアンテナであって、ＵＨＦ帯信号の受信に利用される。
ＵＨＦ帯受信回路２１１は、ＣＰＵ２００とＵＨＦ帯アンテナ２２２とに接続され、ＣＰＵ２００によって制御され、以下の２つの機能を有する。
【００２４】
機能１：ＵＨＦ帯アンテナ２２２を用いて、ＵＨＦ帯の信号を受信する機能。
機能２：受信したＵＨＦ帯の信号を復調して、ＣＰＵ２００へ送る機能。
操作スイッチ２１２は、ＣＰＵ２００に接続される、例えば押下式スイッチであって、ユーザからの操作を電気信号に変換して、ＣＰＵ２００へ送る機能を有する。
ＬＥＤ２１３は、ＣＰＵ２００に接続され、ＣＰＵ２００によって点灯状態を制御される。
【００２５】
メモリ２１４は、ＣＰＵ２００に接続され、ＲＡＭ（Random Access Memory）とＲＯＭ（Read Only Memory）とフラッシュメモリとからなり、ＣＰＵ２００の動作を規定するプログラムとＣＰＵ２００が利用するデータとを記憶する。
また、メモリ２１４は、タグリーダ１１０のタグリーダ識別子を記憶し、さらに、タグ１２１〜タグ１２３のうち、扉の解錠を許可されているタグのタグ識別子を、照合用タグ識別子として記憶している。
【００２６】
タイマ２１５は、ＣＰＵ２００に接続され、ＣＰＵ２００によって制御され、時間を計測する機能を有する。
電池２３０は、タグリーダ１１０を構成する電子部品に電力を供給する。
電気錠駆動回路２１６は、ＣＰＵ２００と電気錠１３２とに接続され、ＣＰＵ２００によって制御され、電気錠１３２に、電気錠１３２の操作コマンドを送信する機能と、電気錠１３２に、電力を供給する機能とを有する。
【００２７】
電気錠駆動回路２１７は、ＣＰＵ２００と電気錠１３１とに接続され、電気錠駆動回路２１６と同様の機能を有する。
ＣＰＵ２００は、ＬＦ帯送信回路２１０とＵＨＦ帯受信回路２１１と操作スイッチ２１２とＬＥＤ２１３とメモリ２１４とタイマ２１５と電気錠駆動回路２１６と電気錠駆動回路２１７とに接続され、メモリ２１４が記憶するプログラムを実行することで、ＬＦ帯送信回路２１０とＵＨＦ帯受信回路２１１と操作スイッチ２１２とＬＥＤ２１３とメモリ２１４とタイマ２１５と電気錠駆動回路２１６と電気錠駆動回路２１７とを制御して、タグリーダ１１０に様々な機能（例えば、通常モード設定機能、質問信号送信機能、解錠機能、モード変更機能、照合用タグ識別子記憶機能等）を実現させる。
【００２８】
電気錠１３１と電気錠１３２とは、互いに同等の構成であって、互いに同等の機能を有している。よって、ここでは、電気錠１３１を用いて電気錠の説明を行う。
電気錠１３１は、ドア１４０に設置され、タグリーダ１１０に接続され、タグリーダ１１０から送信される操作コマンドに従って動作する電動式の錠であって、ドア１４０を施錠する機能とドア１４０を解錠する機能とを有する。
【００２９】
図２に示されるように、電気錠１３１は、モータ２４１と錠２４２と施解錠センサ２４３とから構成される。
錠２４２は、ドア１４０を施錠するためのものであって、モータ２４１によって駆動される。
施解錠センサ２４３は、電気錠駆動回路２１７とモータ２４１とに接続され、電気錠駆動回路２１７から供給される電力によって動作し、ドア１４０が施錠されている状態であるか、解錠されている状態であるかを検知して、モータ２４１に通知する機能を有する。
【００３０】
モータ２４１は、電気錠駆動回路２１７と施解錠センサ２４３とに接続され、電気錠駆動回路２１６から供給される電力によって動作し、以下の機能を有する。
機能１：施解錠センサ２４３から、ドア１４０が施錠されている状態であることを通知されている場合において、電気錠駆動回路２１７から解錠コマンドが送信されるときに、錠２４２を駆動してドア１４０を解錠する機能。
【００３１】
機能２：施解錠センサ２４３から、ドア１４０が解錠されている状態であることを通知されている場合において、電気錠駆動回路２１７から施錠コマンドが送信されるときに、錠２４２を駆動してドア１４０を施錠する機能。
タグ１２１〜タグ１２３のそれぞれは、互いに同等の構成であって、互いに同等の機能を有するものである。よって、ここでは、タグ１２１を用いてタグの説明を行う。
【００３２】
タグ１２１は、内蔵する電池で動作し、以下の２つの機能を有する。
応答信号送信機能：タグリーダ１１０からＬＦ帯の質問信号を受信すると、質問信号を受信してから所定時間（例えば１０ｍｓ）以内に、ＵＨＦ帯の応答信号（後述）を外部に出力する機能。
登録要求機能：タグリーダ１１０からＬＦ帯の登録許可信号を受信した場合において、ユーザからボタン３１２（後述）の押下操作を受けたときに、ＵＨＦ帯の登録要求信号を外部に出力する機能。
【００３３】
図３は、タグ１２１の主要な回路構成を示す回路図である。
同図に示されるように、タグ１２１は、ＣＰＵ３００とＬＦ帯受信回路３１０とＵＨＦ帯送信回路３１１とボタン３１２とＬＥＤ３１３とメモリ３１４とＬＦ帯アンテナ３２１とＵＨＦ帯アンテナ３２２と電池３３０とから構成されている。
ＬＦ帯アンテナ３２１は、ＬＦ帯受信回路３１０に接続される、例えば、互いにコイル軸が直交する３つのコイルによって構成され、ＬＦ帯信号の受信に利用される。
【００３４】
ＬＦ帯受信回路３１０は、ＣＰＵ３００とＬＦ帯アンテナ３２１とに接続され、ＣＰＵ３００によって制御され、以下の２つの機能を有する。
機能１：ＬＦ帯アンテナ３２１を用いて、ＬＦ帯の信号を受信する機能。
機能２：受信したＬＦ帯の信号を復調して、ＣＰＵ３００へ送る機能。
ＵＨＦ帯アンテナ３２２は、ＵＨＦ帯送信回路３１１に接続される、例えば微小ループアンテナであって、ＵＨＦ帯信号の送信に利用される。
【００３５】
ＵＨＦ帯送信回路３１１は、ＣＰＵ３００とＵＨＦ帯アンテナ３２２とに接続され、ＣＰＵ３００によって制御され、以下の２つの機能を有する。
機能１：ＣＰＵ３００から送られてくる信号を、ＵＨＦ帯の信号に変調する機能。
機能２：変調したＵＨＦ帯の信号を、ＵＨＦ帯アンテナ３２２を用いて外部に出力する機能。
【００３６】
ボタン３１２は、ＣＰＵ３００に接続される、例えば押下式ボタン型スイッチであって、ユーザからの操作を電気信号に変換して、ＣＰＵ３００へ送る機能を有する。
ＬＥＤ３１３は、ＣＰＵ３００に接続され、ＣＰＵ３００によって点灯状態を制御される。
メモリ３１４は、ＣＰＵ３００に接続され、ＲＡＭとＲＯＭとフラッシュメモリとからなり、ＣＰＵ３００の動作を規定するプログラムとＣＰＵ３００が利用するデータとを記憶する。
【００３７】
また、メモリ３１４は、タグ１２１のタグ識別子を記憶している。
電池３３０は、タグ１２１を構成する電子部品に電力を供給する。
ＣＰＵ３００は、ＬＦ帯受信回路３１０とＵＨＦ帯送信回路３１１とボタン３１２とＬＥＤ３１３とメモリ３１４とに接続され、メモリ３１４が記憶するプログラムを実行することで、ＬＦ帯受信回路３１０とＵＨＦ帯送信回路３１１とを制御して、タグ１２１に様々な機能（例えば、応答信号送信機能、登録要求機能等）を実現させる。
【００３８】
以下、上記構成の電気錠システム１００において、タグリーダ１１０とタグ１２１〜タグ１２３との通信に使用される通信信号について説明する。
＜通信信号＞
図４は、タグリーダ１１０とタグ１２１〜タグ１２３との通信に使用される通信信号の構成を示す図である。
【００３９】
同図に示されるように、タグリーダ１１０とタグ１２１〜タグ１２３との通信に使用される通信信号には、質問信号４１０と応答信号４２０と登録許可信号４３０と登録要求信号４４０とがある。
質問信号４１０は、タグリーダ１１０からタグ１２１〜タグ１２３へ送信されるＬＦ帯の信号であって、ＰＲ（PReamble）４１１とタグリーダ識別子４１２とＣＲＣ（Cyclic Redundancy Check）４１３とから構成される。
【００４０】
ＰＲ４１１は、質問信号４１０の始まりを示す同期信号であり、ＣＲＣ４１３は、質問信号４１０に誤りが発生しているか否かを検出するための信号である。
タグリーダ識別子４１２は、質問信号４１０を送信するタグリーダ（ここでは、タグリーダ１１０）が記憶している、自装置のタグリーダ識別子である。
なお、ＬＦ帯送信回路２１０の送信強度とＬＦ帯受信回路３１０の受信感度とは、質問信号４１０を用いて行う通信可能距離が１．５ｍ程度となるように、予め設定されている。
【００４１】
応答信号４２０は、タグ１２１〜タグ１２３からタグリーダ１１０へ送信されるＵＨＦ帯の信号であって、ＰＲ４２１とタグ識別子４２２とＣＲＣ４２３とから構成される。
ＰＲ４２１は、応答信号４２０の始まりを示す同期信号であり、ＣＲＣ４２３は、応答信号４２０に誤りが発生しているか否かを検出するための信号である。
タグ識別子４２２は、応答信号４２０を送信するタグが記憶している、自装置のタグ識別子である。
【００４２】
なお、ＵＨＦ帯送信回路３１１の送信強度とＵＨＦ帯受信回路２１１の受信感度とは、応答信号４２０を用いて行う通信可能距離が２０ｍ程度となるように、予め設定されている。
登録許可信号４３０は、タグリーダ１１０からタグ１２１〜タグ１２３へ送信されるＬＦ帯の信号であって、ＰＲ４３１とタグリーダ識別子４３２と登録許可フラグ４３３とＣＲＣ４３４とから構成される。
【００４３】
ＰＲ４３１は、登録許可信号４３０の始まりを示す同期信号であり、ＣＲＣ４３４は、登録許可信号４３０に誤りが発生しているか否かを検出するための信号である。
タグリーダ識別子４３２は、登録許可信号４３０を送信するタグリーダ（ここでは、タグリーダ１１０）が記憶している、自装置のタグリーダ識別子である。
登録許可フラグ４３３は、このフラグを含む信号が、登録許可信号４３０である旨を示す、例えば、０ｂ１となる１ビットの信号である。
【００４４】
なお、ＬＦ帯送信回路２１０の送信強度とＬＦ帯受信回路３１０の受信感度とは、登録許可信号４３０を用いて行う通信可能距離が１．５ｍ程度となるように、予め設定されている。
登録要求信号４４０は、タグ１２１〜タグ１２３からタグリーダ１１０へ送信されるＵＨＦ帯の信号であって、ＰＲ４４１とタグ識別子４４２と登録要求フラグ４４３とＣＲＣ４４４とから構成される。
【００４５】
ＰＲ４４１は、登録要求信号４４０の始まりを示す同期信号であり、ＣＲＣ４４４は、登録要求信号４４０に誤りが発生しているか否かを検出するための信号である。
タグ識別子４４２は、登録要求信号４４０を送信するタグが記憶している、自装置のタグ識別子である。
登録要求フラグ４４３は、このフラグを含む信号が、登録要求信号４４０である旨を示す、例えば、０ｂ１となる１ビットの信号である。
【００４６】
なお、ＵＨＦ帯送信回路３１１の送信強度とＵＨＦ帯受信回路２１１の受信感度とは、登録要求信号４２０を用いて行う通信可能距離が２０ｍ程度となるように、予め設定されている。
以下、図面を参照しながら、上記構成の電気錠システム１００が行う動作について説明する。
【００４７】
＜動作＞
ここでは、電気錠システム１００が行う動作のうち、特徴的な動作である、解錠処理と登録処理とについて説明する。
＜解錠処理＞
解錠処理は、タグリーダ１１０がタグ１２１〜タグ１２３のいずれかからタグ識別子を読み取って、読み取ったタグ識別子が記憶する照合用タグ識別子に一致する場合に、ドア１４０を解錠状態にするという処理である。
【００４８】
図５は、解錠処理のフローチャートである。
解錠処理は、ドア１４０が、電気錠１３１と電気錠１３２とによって施錠されている状態において、タグリーダが起動されて、タグリーダ１１０の動作モードが通常モードに設定されることで開始される。
解錠処理が開始されると、タグリーダ１１０は、タイマ２１５を初期化して（ステップＳ５００）時間の計測を開始し、ＬＦ帯送信回路２１０から外部にＬＦ帯の質問信号を送信する（ステップＳ５１０）。
【００４９】
質問信号を送信すると、タグリーダ１１０は、タイマ２１５の初期化後所定時間Ｔ１（例えば３６０ｍｓ）の経過を上限として、送信した質問信号に呼応していずれかのタグから送信される応答信号の受信を待つ（ステップＳ５２０）。
タグリーダ１１０から送信されるＬＦ帯の質問信号の通信距離（例えば１．５ｍ）内にタグが存在する場合には、そのタグはその質問信号を受信して、ＵＨＦ帯の応答信号を送信する。逆に、タグリーダ１１０から送信されるＬＦ帯の質問信号の通信距離内にタグが存在しない場合には、ＵＨＦ帯の応答信号が送信されることはない。
【００５０】
ステップＳ５２０の処理において、タグリーダ１１０が応答信号を受信した場合には（ステップＳ５２０：Ｙｅｓ）、タグリーダ１１０は、受信した応答信号に含まれるタグ識別子が、記憶する解錠許可タグ識別子と一致するか否かを調べる（ステップＳ５３０）。
ステップＳ５３０の処理において、受信した応答信号に含まれるタグ識別子が、解錠許可タグ識別子と一致する場合に（ステップＳ５３０：Ｙｅｓ）、タグリーダ１１０は、電気錠駆動回路２１６と電気錠駆動回路２１７とから、それぞれ、電気錠１３１と電気錠１３２とに、解錠コマンドを送信する（ステップＳ５４０）。すると、電気錠１３１と電気錠１３２とのそれぞれは、タグリーダ１１０から解錠コマンドを受信し、ドア１４０を解錠する。
【００５１】
解錠コマンドを送信すると、タグリーダ１１０は、タイマ２１５の初期化後所定時間Ｔ２（例えば３０ｓ：Ｔ２＞Ｔ１）経過するまで待機する（ステップＳ５５０）。
タイマ２１５の初期化後所定時間Ｔ２経過すると、タグリーダ１１０は、電気錠駆動回路２１６と電気錠駆動回路２１７とから、それぞれ、電気錠１３１と電気錠１３２とに、施錠コマンドを送信する（ステップＳ５６０）。すると、電気錠１３１と電気錠１３２とのそれぞれは、タグリーダ１１０から施錠コマンドを受信し、ドア１４０を施錠する。
【００５２】
ステップＳ５３０の処理において、受信した応答信号に含まれるタグ識別子が、解錠許可タグ識別子と一致しない場合に（ステップＳ５３０：Ｎｏ）、再びステップＳ５２０の処理に戻って、ステップＳ５２０以下の処理を続ける。
ステップＳ５２０の処理において、タグリーダ１１０が応答信号を受信なかった場合（ステップＳ５２０：Ｎｏ）、又はステップＳ５６０の処理が終わった場合には、再びステップＳ５００の処理に戻って、ステップＳ５００以下の処理を行う。
【００５３】
図６は、電気錠システム１００の行う解錠処理における、タグリーダ１１０とタグ１２１〜タグ１２３との具体的動作例を模式的に示した模式図である。
以下、図６を用いて、電気錠システム１００の行う解錠処理について、説明を補足する。
（１）タグリーダ１１０から送信されるＬＦ帯の質問信号の通信距離内に、タグリーダ１１０の記憶する解錠許可タグ識別子と一致するタグ識別子を記憶するタグＡが存在する場合の例（時刻ｔ０〜時刻ｔ１の期間）。
【００５４】
時刻ｔ０に、タグリーダ１１０は、タイマ２１５を初期化して（ステップＳ５００）時間の計測を開始し、ＬＦ帯送信回路２１０から外部にＬＦ帯の質問信号を送信する（ステップＳ５１０）。
タグリーダ１１０から送信されるＬＦ帯の質問信号の通信距離内にタグＡが存在するため、タグＡは、その質問信号を受信して、例えば１０ｍｓ以内に、ＵＨＦ帯の応答信号を送信する。
【００５５】
すると、タグリーダ１１０は、タイマ２１５の初期化後所定時間Ｔ１以内にそのＵＨＦ帯の応答信号を受信することとなる（ステップＳ５２０：Ｙｅｓ）。そして、受信した応答信号に含まれるタグ識別子が、記憶する解錠許可タグ識別子と一致するため（ステップＳ５３０：Ｙｅｓ）、タグリーダ１１０は、電気錠１３１と電気錠１３２とに、解錠コマンドを送信する（ステップＳ５４０）。すると、電気錠１３１と電気錠１３２とのそれぞれは、ドア１４０を解錠する。
【００５６】
その後、タグリーダ１１０は、タイマ２１５の初期化後所定時間Ｔ２経過するまで待って（ステップＳ５５０）、電気錠１３１と電気錠１３２とに、施錠コマンドを送信する（ステップＳ５６０）。すると、電気錠１３１と電気錠１３２とのそれぞれは、ドア１４０を施錠する。
（２）タグリーダ１１０から送信されるＬＦ帯の質問信号の通信距離内に、タグリーダ１１０の記憶する解錠許可タグ識別子と一致するタグ識別子を記憶するタグが存在しない場合の例（時刻ｔ２〜時刻ｔ３の期間）。
【００５７】
時刻ｔ２に、タグリーダ１１０は、タイマ２１５を初期化して（ステップＳ５００）時間の計測を開始し、ＬＦ帯送信回路２１０から外部にＬＦ帯の質問信号を送信する（ステップＳ５１０）。
タグリーダ１１０から送信されるＬＦ帯の質問信号の通信距離内にタグが存在しないため、タイマ２１５の初期化後所定時間Ｔ１以内に、タグからＵＨＦ帯の応答信号が送信されることはない。
【００５８】
従って、タグリーダ１１０は、タイマ２１５の初期化後所定時間Ｔ１以内に、タグからＵＨＦ帯の応答信号を受信しない（ステップＳ５２０：Ｎｏ）こととなるため、電気錠１３１と電気錠１３２とに、解錠コマンドを送信しない。よって、ドア１４０は解錠されない。
＜登録処理＞
登録処理は、タグリーダ１１０が、照合用タグ識別子として記憶させたいタグ識別子を記憶しているタグから、そのタグ識別子を読み取って、照合用タグ識別子として記憶するという処理である。
【００５９】
図７は、登録処理のフローチャートである。
登録処理は、タグリーダ１１０の動作モードが通常モードである期間中に、操作スイッチ２１２が押下操作されることで開始される。
登録処理が開始されると、タグリーダ１１０は、動作モードを登録モードに変更する（ステップＳ７００）。そして、タグリーダ１１０は、自機が登録モードである旨を示すためにＬＥＤ２１３を点灯し、タイマ２１５を初期化して（ステップＳ７１０）時間の計測を開始し、ＬＦ帯送信回路２１０から外部にＬＦ帯の登録許可信号を送信する（ステップＳ７２０）。
【００６０】
登録許可信号を送信すると、タグリーダ１１０は、タイマ２１５の初期化後所定時間Ｔ３（例えば３０ｓ）の経過を上限として、送信した登録許可信号に呼応していずれかのタグから送信される登録要求信号の受信を待つ（ステップＳ７３０）。
タグリーダ１１０から送信されるＬＦ帯の登録許可信号の通信距離内にタグが存在する場合には、そのタグはその登録許可信号を受信する。そして、登録許可信号を受信したタグにおいてボタン３１２が押下された場合に、そのタグは、ＵＨＦ帯の登録要求信号を送信する。
【００６１】
タグリーダ１１０から送信されるＬＦ帯の登録許可信号の通信距離内にタグが存在しない場合、又は、登録許可信号を受信したタグにおいてタイマ２１５の初期化後所定時間Ｔ３以内にボタン３１２が押下されなかった場合には、ＵＨＦ帯の登録要求信号が送信されることはない。
なお、所有するタグのタグ識別子を、照合用タグ識別子としてタグリーダ１１０に記憶させようと意図するユーザは、そのタグからタグリーダ１１０へ登録要求信号を送信させるために、次の３つの操作を行う必要がある。
【００６２】
すなわち、（１）まず、タグリーダ１１０の操作スイッチ２１２を押下操作する。（２）そのタグ識別子を有するタグを、タグリーダ１１０の近傍（例えば１．５ｍ以内の範囲）に近接させる。（３）さらに、タグリーダ１１０の操作スイッチ２１２を押下操作してから所定時間Ｔ３以内に、そのタグのボタン３１２を押下する。
ステップＳ７３０の処理において、タイマ２１５の初期化後所定時間Ｔ３以内に登録要求信号を受信した場合に（ステップＳ７３０：Ｙｅｓ）、タグリーダ１１０は、受信した登録要求信号に登録要求フラグが含まれているか否かを調べる（ステップＳ７４０）。
【００６３】
ステップＳ７４０の処理において、受信した登録要求信号に登録要求フラグが含まれている場合に（ステップＳ７４０：Ｙｅｓ）、タグリーダ１１０は、受信した登録要求信号に含まれているタグ識別子を、照合用タグ識別子として記憶する（ステップＳ７５０）。
ステップＳ７４０の処理において、受信した登録要求信号に登録要求フラグが含まれていない場合（ステップＳ７４０：Ｎｏ）、又は、ステップＳ７５０の処理が終了した場合に、タグリーダ１１０は、タイマ２１５の初期化後所定時間Ｔ３内であるか否かを調べる（ステップＳ７６０）。
【００６４】
ステップＳ７６０の処理において、タイマ２１５の初期化後所定時間Ｔ３内である場合に（ステップＳ７６０：Ｙｅｓ）、再びステップＳ７３０の処理に戻って、ステップＳ７３０以下の処理を行う。
ステップＳ７３０の処理において、タイマ２１５の初期化後所定時間Ｔ３以内に登録要求信号を受信しなかった場合（ステップＳ７３０：Ｎｏ）、又は、ステップＳ７６０の処理において、タイマ２１５の初期化後所定時間Ｔ３内でない場合に（ステップＳ７６０：Ｎｏ）、タグリーダ１１０は、ＬＥＤ２１３を消灯し（ステップＳ７７０）、動作モードを通常モードに変更する（ステップＳ７８０）。
【００６５】
ステップＳ７８０の処理が終わると、電気錠システム１００は、その登録処理を終了する。
図８は、電気錠システム１００の行う登録処理における、タグリーダ１１０とタグ１２１〜タグ１２３との具体的動作例を模式的に示した模式図である。
以下、図８を用いて、電気錠システム１００の行う登録処理について、説明を補足する。
【００６６】
（１）タグリーダ１１０から送信されるＬＦ帯の登録許可信号の通信距離内に存在するタグが登録許可信号を受信し、例えば１０ｓ後にそのタグのボタン３１２が押下された場合の例（時刻ｔ４〜時刻ｔ５の期間）。
時刻ｔ４に、通常モードのタグリーダ１１０の操作スイッチ２１２が押下操作されると、タグリーダ１１０は、動作モードを登録モードに変更する（ステップＳ７００）。そして、タグリーダ１１０は、ＬＥＤ２１３を点灯し、タイマ２１５を初期化して（ステップＳ７１０）時間の計測を開始し、ＬＦ帯送信回路２１０から外部にＬＦ帯の登録許可信号を送信する（ステップＳ７２０）。
【００６７】
タグリーダ１１０から送信されるＬＦ帯の登録許可信号の通信距離内にタグＡが存在するため、タグＡはその登録許可信号を受信する。その１０ｓ後にタグＡは、ボタン３１２が押下され、ＵＨＦ帯の登録要求信号を送信する。
すると、タグリーダ１１０は、所定時間Ｔ３以内にそのＵＨＦ帯の登録要求信号を受信することとなる（ステップＳ７３０：Ｙｅｓ）。そして、受信した登録要求信号に登録要求フラグが含まれているため（ステップＳ７４０：Ｙｅｓ）、タグリーダ１１０は、受信した登録要求信号に含まれるタグ識別子を、照合用タグ識別子として記憶する（ステップＳ７５０）。
【００６８】
その後、タグリーダ１１０は、所定時間Ｔ３経過するまでに、新たな登録要求信号を受信しない（ステップＳ７６０：Ｙｅｓ〜ステップＳ７３０：Ｎｏ）。そのため、タグリーダ１１０は、ＬＥＤ２１３を消灯し（ステップＳ７７０）、動作モードを通常モードに変更する（ステップＳ７８０）。
（２）タグリーダ１１０から送信されるＬＦ帯の登録許可信号の通信距離内に存在するタグが登録許可信号を受信するが、そのタグのボタン３１２が押下されない場合の例（時刻ｔ６〜時刻ｔ７）。
【００６９】
時刻ｔ４に、通常モードのタグリーダ１１０の操作スイッチ２１２が押下操作されると、タグリーダ１１０は、動作モードを登録モードに変更する（ステップＳ７００）。そして、タグリーダ１１０は、ＬＥＤ２１３を点灯し、タイマ２１５を初期化して（ステップＳ７１０）時間の計測を開始し、ＬＦ帯送信回路２１０から外部にＬＦ帯の登録許可信号を送信する（ステップＳ７２０）。
【００７０】
タグリーダ１１０から送信されるＬＦ帯の登録許可信号の通信距離内にタグＡが存在するため、タグＡはその登録許可信号を受信する。しかし、タグＡは、ボタン３１２が押下されないため、ＵＨＦ帯の登録要求信号を送信しない。
タグリーダ１１０は、所定時間Ｔ３以内にＵＨＦ帯の登録要求信号を受信しない（ステップＳ７３０：Ｎｏ）ため、タグ識別子を照合用タグ識別子として記憶しない。
【００７１】
そして、タグリーダ１１０は、ＬＥＤ２１３を消灯し（ステップＳ７７０）、動作モードを通常モードに変更する（ステップＳ７８０）。
＜考察＞
電気錠システム１００によると、タグリーダ１１０は、登録モード期間中において、タグ識別子と登録要求フラグとを含む登録要求信号を受信した場合に限って、そのタグ識別子を照合用タグ識別子として記憶する。
【００７２】
そして、登録モード期間中のタグリーダ１１０が、意図しないタグからタグ識別子を含む信号を受信することとなったとしても、その信号が登録要求フラグを含む登録要求信号でない限り、タグリーダ１１０は、そのタグ識別子を照合用タグ識別子として記憶しない。
従って、タグリーダ１１０が、意図しないタグのタグ識別子を照合用タグ識別子として記憶してしまう可能性は、従来の電気錠システムよりも低減される。
＜実施の形態２＞
＜概要＞
以下、本発明に係る電気錠システムの一例として、実施の形態１に係る電気錠システム１００の一部を変形した第１変形電気錠システムについて説明する。
【００７３】
実施の形態２に係る第１変形電気錠システムは、そのハードウエア構成が、実施の形態１に係る電気錠システム１００と同様のものとなっているが、実行されるソフトウエアの一部が、実施の形態１に係る電気錠システム１００から変形されている。
実施の形態１に係る電気錠システム１００は、タグの送信する応答信号４２０と登録許可信号４３０とが、通信対象とするタグリーダのタグリーダ識別子を含まない構成の例であった。これに対して、実施の形態２に係る第１変形電気錠システムは、タグの送信する応答信号と登録許可信号とが、通信対象とするタグリーダのタグリーダ識別子を含む構成の例である。
【００７４】
以下、本実施の形態２に係る第１変形電気錠システムの構成について、実施の形態１に係る電気錠システム１００との相違点を中心に、図面を参照しながら説明する。
＜構成＞
第１変形電気錠システムは、実施の形態１に係る電気錠システム１００と同様のハードウエア構成となっている。よって、ここでは説明を省略する。また、以下では、第１変形電気錠システムのハードウエアを構成する構成要素に係る説明は、実施の形態１に係る電気錠システム１００のハードウエアを構成する各構成要素と同じ符号を用いて行う。
【００７５】
＜通信信号＞
図９は、タグリーダ１１０とタグ１２１〜タグ１２３との通信に使用される通信信号の構成を示す図である。
同図に示されるように、タグリーダ１１０とタグ１２１〜タグ１２３との通信に使用される通信信号には、質問信号９１０と応答信号９２０と登録許可信号９３０と登録要求信号９４０とがある。
【００７６】
これらのうち、質問信号９１０と登録許可信号９３０とのそれぞれは、実施の形態１に係る質問信号４１０と登録許可信号４３０とのそれぞれと同じものである。よって、ここでは説明を省略する。
応答信号９２０は、実施の形態１に係る応答信号４２０（図４参照）に対して、タグリーダ識別子９５０が追加されるように変形されたものである。
【００７７】
タグリーダ識別子９５０は、応答信号９２０を送信するタグが、応答信号９２０の送信に先立って受信した質問信号に含まれるタグリーダ識別子である。
登録要求信号９４０は、実施の形態１に係る登録要求信号４４０に対して、タグリーダ識別子９６０が追加されるように変形されたものである。
タグリーダ識別子９６０は、登録要求信号９４０を送信するタグが、登録要求信号９４０の送信に先立って受信した登録許可信号に含まれるタグリーダ識別子である。
【００７８】
＜動作＞
第１変形電気錠システムは、実施の形態１に係る電気錠システム１００の行う解錠処理から一部の処理が変形された変形解錠処理と、電気錠システム１００の行う登録処理から一部の処理が変形された第１変形登録処理とを行う。
以下、図面を参照しながら、変形解錠処理と第１変形登録処理とについて説明する。
【００７９】
＜変形解錠処理＞
変形解錠処理は、実施の形態１に係る解錠処理と同様に、タグリーダ１１０がタグ１２１〜タグ１２３のいずれかからタグ識別子を読み取って、読み取ったタグ識別子が記憶する照合用タグ識別子に一致する場合に、ドア１４０を解錠状態にするという処理である。
図１０は、変形解錠処理のフローチャートである。
【００８０】
変形解錠処理は、実施の形態１に係る解錠処理に、ステップＳ１０３５の処理（後述）が追加されたものとなっている。
ステップＳ１０００〜ステップＳ１０３０の処理は、実施の形態１に係る解錠処理におけるステップＳ５００〜ステップＳ５３０の処理（図５参照）と同等の処理である。そして、ステップＳ１０４０〜ステップＳ１０６０の処理は、実施の形態１に係る解錠処理におけるステップＳ５４０〜ステップＳ５６０の処理と同等の処理である。よって、ここではこれらの処理についての説明を省略する。
【００８１】
変形解錠処理は、ステップＳ１０３０の処理とステップＳ１０４０の処理との間に、以下のステップＳ１０３５の処理が挿入されている。
ステップＳ１０３０の処理において、受信した応答信号に含まれるタグ識別子が、解錠許可タグ識別子と一致する場合（ステップＳ１０３０：Ｙｅｓ）に、タグリーダ１１０は、受信した応答信号に含まれるタグリーダ識別子が、自装置の記憶するタグリーダ識別子と一致するか否かを調べる（ステップＳ１０３５）。
【００８２】
ステップＳ１０３５の処理において、自装置の記憶するタグリーダ識別子と一致する場合に（ステップＳ１０３５：Ｙｅｓ）、ステップＳ１０４０の処理を開始する。
ステップＳ１０３５の処理において、自装置の記憶するタグリーダ識別子と一致しない場合に（ステップＳ１０３５：Ｎｏ）、再びステップＳ１０２０の処理に戻って、ステップＳ１０２０以下の処理を続ける。
【００８３】
＜第１変形登録処理＞
第１変形登録処理は、実施の形態１係る登録処理と同様に、タグリーダ１１０が、照合用タグ識別子として記憶させたいタグ識別子を記憶しているタグから、そのタグ識別子を読み取って、照合用タグ識別子として記憶するという処理である。
図１１は、第１変形登録処理のフローチャートである。
【００８４】
第１変形登録処理は、実施の形態１に係る登録処理に、ステップＳ１１３５の処理（後述）が追加されたものとなっている。
ステップＳ１１００〜ステップＳ１１３０の処理は、実施の形態１に係る登録処理におけるステップＳ７００〜ステップＳ７３０の処理（図７参照）と同等の処理である。そして、ステップＳ１１４０〜ステップＳ１１８０の処理は、実施の形態１に係る登録処理におけるステップＳ７４０〜ステップＳ７８０の処理と同等の処理である。よって、ここではこれらの処理についての説明を省略する。
【００８５】
第１変形登録処理は、ステップＳ１１３０の処理とステップＳ１１４０の処理との間に、以下のステップＳ１１３５の処理が挿入されている。
ステップＳ１１３０の処理において、タイマ２１５の初期化後所定時間Ｔ３以内に登録要求信号を受信した場合に（ステップＳ１１３０：Ｙｅｓ）、タグリーダ１１０は、受信した登録要求信号に含まれるタグリーダ識別子が、自装置の記憶するタグリーダ識別子と一致するか否かを調べる（ステップＳ１１３５）。
【００８６】
ステップＳ１１３５の処理において、自装置の記憶するタグリーダ識別子と一致する場合に（ステップＳ１１３５：Ｙｅｓ）、ステップＳ１１４０の処理を開始する。
ステップＳ１１３５の処理において、自装置の記憶するタグリーダ識別子と一致しない場合に（ステップＳ１１３５：Ｎｏ）、ステップＳ１１６０の処理を開始する。
＜実施の形態３＞
＜概要＞
以下、本発明に係る電気錠システムの一例として、実施の形態１に係る電気錠システム１００の一部を変形した第２変形電気錠システムについて説明する。
【００８７】
実施の形態３に係る第２変形電気錠システムは、そのハードウエア構成の一部が、実施の形態１に係る電気錠システム１００から変形され、また、実行されるソフトウエアの一部が、実施の形態１に係る電気錠システム１００から変形されている。
実施の形態１に係る電気錠システム１００は、タグの送信する登録要求信号がＵＨＦ帯の信号となる構成の例であった。これに対して、実施の形態３に係る第２変形電気錠システムは、タグの送信する登録要求信号が、送信に先立って受信したＬＦ帯の登録許可信号の電磁エネルギーを利用して生成されるＬＦ帯の信号となる構成の例である。
【００８８】
以下、本実施の形態３に係る第２変形電気錠システムの構成について、実施の形態１に係る電気錠システム１００との相違点を中心に、図面を参照しながら説明する。
＜構成＞
第２変形電気錠システムは、実施の形態１に係る電気錠システム１００から、タグリーダ１１０がタグリーダ１２１０に変形され、タグ１２１〜タグ１２３が、それぞれ、タグ１３２１〜タグ１３２３に変形されている。
【００８９】
図１２は、タグリーダ１２１０の主要な回路構成を示す回路図である。
同図に示されるように、タグリーダ１２１０は、実施の形態１に係るタグリーダ１１０（図２参照）から、ＬＦ帯送信回路２１０がＬＦ帯送受信回路１２１１に変形されたものである。
ＬＦ帯送受信回路１２１１は、タグリーダ１１０の有する２つの機能に加えて、さらに以下の２つの機能を有する。
【００９０】
機能３：ＬＦ帯アンテナ２２１を用いて、ＬＦ帯の信号を受信する機能。
機能４：受信したＬＦ帯の信号を復調して、ＣＰＵ２００へ送る機能。
また、メモリ２１４に記憶されている、ＣＰＵ２００が実行するプログラムのうち、一部が変形されている。そして、タグリーダ１２１０は、タグリーダ１１０の有する、通常モード設定機能、質問信号送信機能、モード変更機能、解錠機能に加えて、さらに、照合用タグ識別子記憶機能の一部の機能が変形された、以下の変形照合用タグ識別子記憶機能を有する。
【００９１】
変形照合用タグ識別機能：登録モード期間中に、タグから、タグ識別子を含むＬＦ帯のＬＦ登録要求信号（後述）を受信した場合に限って、そのタグ識別子を、照合用タグ識別子として記憶する機能。
タグ１３２１〜タグ１３２３のそれぞれは、互いに同等の構成であって、互いに同等の機能を有するものである。よって、ここでは、タグ１３２１を用いてタグの説明を行う。
【００９２】
図１３はタグ１３２１の主要な回路構成を示す回路図である。
同図に示されるように、タグ１３２１は、実施の形態１に係るタグ１２１（図３参照）から、ＬＦ帯送信回路１３１０と起電回路１３２０とが追加されるように変形されたものである。
起電回路１３２０は、ＬＦ帯受信回路３１０とＬＦ帯送信回路１３１０とに接続され、以下の機能を有する。
【００９３】
機能：ＬＦ帯受信回路３１０が、ＬＦ帯アンテナ３２１を用いてＬＦ帯の信号を受信した場合に、受信したＬＦ帯の信号の電磁エネルギーを利用して電力を起こし、起こした電力をＬＦ帯送信回路１３１０に供給する機能。
ＬＦ帯送信回路１３１０は、ＣＰＵ３００と起電回路１３２０とＬＦ帯アンテナ３２１とに接続され、起電回路１３２０から供給される電力で動作し、ＣＰＵ３００によって制御され、以下の２つの機能を有する。
【００９４】
機能１：ＣＰＵ３００から送られてくる信号を、ＬＦ帯の信号に変調する機能。
機能２：変調したＬＦ帯の信号を、ＬＦ帯アンテナ３２１を用いて外部に出力する機能。
ここで、ＬＦ帯送信回路１３１０が送信するＬＦ帯の信号は、ＬＦ帯送信回路１３１０が、起電回路１３２０によって起こされた、比較的少ない電力によって動作するため、その通信可能距離が２ｃｍ程度という比較的短い距離になっている。
【００９５】
また、メモリ３１４に記憶されている、ＣＰＵ３００が実行するプログラムのうち、一部が変形されている。そして、タグ１３２１は、実施の形態１に係るタグ１２１から、その機能の一部が変形され、通常モードと登録モードとを有し、以下の３つの機能を有する。
変形応答信号送信機能：通常モード期間中に、タグリーダ１２１０からＬＦ帯の質問信号を受信すると、質問信号を受信してから所定時間（例えば１０ｍｓ）以内に、ＵＨＦ帯の応答信号を外部に出力する機能。
【００９６】
モード変換機能：通常モード期間中に、ユーザからボタン３１２に所定の操作（例えばボタン３１２のダブルクリック操作）を受けると、所定時間Ｔ４（例えば６０ｓ）に限って、動作モードを登録モードとする機能。
変形登録要求機能：登録モード期間中に、タグリーダ１２１０からＬＦ帯のＬＦ登録許可信号を受信した場合にＬＦ帯のＬＦ登録要求信号を外部に出力する機能。
【００９７】
＜通信信号＞
図１４は、タグリーダ１２１０とタグ１３２１〜タグ１３２３との通信に利用される通信信号の構成を示す図である。
同図に示されるように、タグリーダ１２１０とタグ１３２１〜タグ１３２３との通信に利用される通信信号には、質問信号１４１０と応答信号１４２０と登録許可信号１４３０とＬＦ登録要求信号１４４０とがある。
【００９８】
これらのうち、質問信号１４１０と応答信号１４２０とのそれぞれは、実施の形態１に係る質問信号４１０と応答信号４２０とのそれぞれと同じものである。よってここでは説明を省略する。
登録許可信号１４３０は、実施の形態１に係る登録許可信号４３０（図４参照）に対して、登録許可フラグ４３３が削除されるように変形されたものである。
【００９９】
ＬＦ登録要求信号１４４０は、実施の形態１に係る登録要求信号４４０に対して、登録要求フラグ４４３が削除されるように変形され、さらに、搬送波の周波数帯が、ＵＨＦ帯からＬＦ帯へと変形されたものである。
なお、ＬＦ帯送信回路１３１０の送信強度とＬＦ帯送受信回路１２１１の受信感度とは、ＬＦ登録要求信号１４４０を用いて行う通信可能距離が２ｃｍ程度となるように、予め設定されている。
【０１００】
＜動作＞
第２変形電気錠システムは、実施の形態１に係る電気錠システム１００の行う解錠処理と同様の処理と、電気錠システム１００の行う登録処理から一部の処理が変形された第２変形登録処理とを行う。
以下、図面を参照しながら、第２変形登録処理について説明する。
【０１０１】
＜第２変形登録処理＞
第２変形登録処理は、実施の形態１係る登録処理と同様に、タグリーダ１２１０がタグ１３２１〜タグ１３２３のいずれかからタグ識別子を読み取って、読み取ったタグ識別子を、照合用タグ識別子として記憶するという処理である。
図１５は、第２変形登録処理のフローチャートである。
【０１０２】
第２変形登録処理は、タグリーダ１２１０の動作モードが通常モードである期間中に、操作スイッチ２１２が押下操作されることで開始される。
登録処理が開始されると、タグリーダ１２１０は、動作モードを登録モードに変更する（ステップＳ１５００）。そして、タグリーダ１２１０は、自機が登録モードである旨を示すためにＬＥＤ２１３を点灯し、タイマ２１５を初期化して、所定時間Ｔ５（例えば３０ｓ）の時間の計測を開始する（ステップＳ１５１０）。さらに、タグリーダ１２１０は、新たに所定時間Ｔ６（例えば５０ｍｓ）の時間の計測を開始する（ステップＳ１５２０）。
【０１０３】
ステップＳ１５２０の処理が終わると、タグリーダ１２１０は、ＬＦ帯送信回路２１０から外部にＬＦ帯の登録許可信号を送信する（ステップＳ１５３０）。
登録許可信号を送信すると、タグリーダ１２１０は、新たな所定時間Ｔ６の計測開始後所定時間Ｔ６の経過を上限として、送信した登録許可信号に呼応していずれかのタグから送信されるＬＦ登録要求信号の受信を待つ（ステップＳ１５４０）。
【０１０４】
タグリーダ１２１０から送信されるＬＦ帯の登録許可信号の通信距離（例えば１．５ｍ）内に登録モードのタグが存在する場合には、そのタグはその登録許可信号を受信して、ＬＦ帯のＬＦ登録要求信号を送信する。
ここで、ＬＦ登録要求信号は、起電回路１３２０で起こされる電力によって動作するＬＦ帯送信回路１３１０によって送信される。このため、その通信距離が２ｃｍ程度となっている。従って、タグリーダ１２１０は、タグリーダ１２１０の近傍（約２ｃｍ以内）にかざされているタグから送信されるＬＦ登録要求信号に限って受信する。
【０１０５】
タグリーダ１２１０から送信されるＬＦ帯の登録許可信号の通信距離内に登録モードのタグが存在しない場合、又は、登録許可信号を受信したタグがタグリーダ１２１０の近傍（約２ｃｍ以内）にかざされていない場合には、タグリーダ１２１０は、タグからのＬＦ登録要求信号を受信しない。
なお、所有するタグのタグ識別子を、照合用タグ識別子としてタグリーダ１２１０に記憶させようと意図するユーザは、そのタグから送信されるＬＦ登録要求信号を、タグリーダ１２１０に受信させるために、次の３つの操作を行う必要がある。
【０１０６】
すなわち、（１）所有するタグのボタン３１２をダブルクリック操作する。（２）タグリーダ１２１０の操作スイッチ２１２を押下操作する。（３）ボタン３１２のダブルクリック操から所定時間Ｔ４以内、かつ、タグのボタン３１２をダブルクリック操作してから所定時間Ｔ５以内に、タグをタグリーダ１２１０の近傍（約２ｃｍ以内）にかざす。
ステップＳ１５４０の処理において、新たな所定時間Ｔ６の計測開始後所定時間Ｔ６以内にＬＦ登録要求信号を受信した場合（ステップＳ１５４０：Ｙｅｓ）に、そのＬＦ登録要求信号に含まれるタグ識別子を、照合用タグ識別子として記憶する（ステップＳ１５５０）。
【０１０７】
ステップＳ１５４０の処理において、新たな所定時間Ｔ６の計測開始後所定時間Ｔ６以内にＬＦ登録要求信号を受信しなかった場合（ステップＳ１５４０：Ｎｏ）、又は、ステップＳ１５５０の処理が終了した場合に、タグリーダ１２１０は、所定時間Ｔ５計測開始後所定時間Ｔ５内であるか否かを調べる（ステップＳ１５６０）。
ステップＳ１５６０の処理において、所定時間Ｔ５計測開始後所定時間Ｔ５内である場合に（ステップＳ１５６０：Ｙｅｓ）、再びステップＳ７３０の処理に戻って、ステップＳ７３０以下の処理を行う。
【０１０８】
ステップＳ１５６０の処理において、所定時間Ｔ５計測開始後所定時間Ｔ５内でない場合に（ステップＳ１５６０：Ｎｏ）、タグリーダ１２１０は、ＬＥＤ２１３を消灯し（ステップＳ１５７０）、動作モードを通常モードに変更する（ステップＳ１５８０）。
ステップＳ１５８０の処理が終わると、第２変形電気錠システムは、その第２変形登録処理を終了する。
【０１０９】
図１６は、第２変形電気錠システムの行う第２変形登録処理における、タグリーダ１２１０とタグ１３２１〜タグ１３２３との具体的動作例を模式的に示した模式図である。
以下、図１６を用いて、第２変形電気錠システムの行う第２変形登録処理について、説明を補足する。
（１）タグリーダ１２１０が操作スイッチ２１２の押下操作をなされてから所定時間Ｔ５以内に、登録モードのタグが、タグリーダ１２１０にかざされた場合の例（時刻ｔ８〜時刻ｔ９の期間）。
【０１１０】
時刻ｔ８に、通常モードのタグリーダ１２１０の操作スイッチ２１２が押下操作されると、タグリーダ１２１０は、動作モードを登録モードに変更する（ステップＳ１５００）。そして、タグリーダ１２１０は、ＬＥＤ２１３を点灯し、所定時間Ｔ５の時間の計測を開始する（ステップＳ１５１０）。その後、タグリーダ１２１０は、所定時間Ｔ６毎に繰り返し登録許可信号を送信する（ステップＳ１５２０〜ステップＳ１５４０：Ｎｏ〜ステップＳ１５６０：Ｙｅｓを繰り返す）。
【０１１１】
タグリーダ１２１０が繰り返し登録許可信号を送信している間に、登録モードのタグが、タグリーダ１２１０にかざされるので、タグリーダ１２１０は、そのタグから送信されるＬＦ登録要求信号を受信し（ステップＳ１５４０：Ｙｅｓ）する。そしてタグリーダは、そのＬＦ登録要求信号に含まれるタグ識別子を、照合用タグ識別子として記憶する（ステップＳ１５５０）。
【０１１２】
その後、タグリーダ１２１０は、所定時間Ｔ５経過すると（ステップＳ１５６０：Ｎｏ）、ＬＥＤ２１３を消灯し（ステップＳ１５７０）、動作モードを通常モードに変更する（ステップＳ１５８０）。
（２）タグリーダ１２１０が操作スイッチ２１２の押下操作をなされてから所定時間Ｔ５以内に、登録モードのタグが、タグリーダ１２１０にかざされなかった場合の例（時刻ｔ１０〜時刻ｔ１１の期間）。
【０１１３】
時刻ｔ１０に、通常モードのタグリーダ１２１０の操作スイッチ２１２が押下操作されると、タグリーダ１２１０は、動作モードを登録モードに変更する（ステップＳ１５００）。そして、タグリーダ１２１０は、ＬＥＤ２１３を点灯し、所定時間Ｔ５の時間の計測を開始する（ステップＳ１５１０）。その後、タグリーダ１２１０は、所定時間Ｔ６毎に繰り返し登録許可信号を送信する（ステップＳ１５２０〜ステップＳ１５４０：Ｎｏ〜ステップＳ１５６０：Ｙｅｓを繰り返す）。
【０１１４】
タグリーダ１２１０が繰り返し登録許可信号を送信している間に、登録モードのタグが、タグリーダ１２１０にかざされることがないため、タグリーダ１２１０は、ＬＦ登録要求信号を受信することがない。
タグリーダは、所定時間Ｔ５経過すると（ステップＳ１５６０：Ｎｏ）、照合用タグ識別子を記憶することなく、ＬＥＤ２１３を消灯し（ステップＳ１５７０）、動作モードを通常モードに変更する（ステップＳ１５８０）。
【０１１５】
＜考察＞
第２変形電気錠システムによると、タグリーダ１２１０は、タグから送信される登録要求信号の受信を、ユーザが、タグ識別子を記憶させようと意図してタグリーダにかざしたタグからの登録要求信号に限って行うこととなる。
従って、タグリーダ１２１０が、意図しないタグのタグ識別子を照合用タグ識別子として記憶してしまう可能性は、従来の電気錠システムよりも低減される。
＜補足＞
以下、本発明に係る電気錠システムの一実施形態として、実施の形態１、実施の形態２、実施の形態３において、３つの電気錠システムの例について説明したが、以下のように変形することも可能である。本発明は上述した実施の形態１、実施の形態２、実施の形態３で示した通りの電気錠システムに限られないことはもちろんである。
（１）実施の形態１において、電気錠システム１００は、質問信号４１０と登録許可信号４３０とがＬＦ帯の信号である構成の例であったが、無線信号であれば、必ずしもＬＦ帯の信号に限られる必要はない。
【０１１６】
但し、これらの信号がＬＦ帯の信号であることで、これらの信号の通信可能距離の絞り込みを比較的容易に実現することができる。
また、実施の形態１において、電気錠システム１００は、応答信号４２０と登録要求信号４４０とがＵＨＦ帯の信号である構成の例であったが、無線信号であれば、必ずしもＵＨＦ帯の信号に限られる必要はない。
【０１１７】
ただし、これらの信号がＵＨＦ帯の信号であることで、送信回路、受信回路、アンテナ等を、比較的容易に実現することができる。
（２）実施の形態１において、登録許可フラグ４３３は、登録許可信号である旨を示す、例えば、０ｂ１となる１ビットの信号となる構成の例であった。しかしながら、登録許可信号である旨を示す信号であれば、必ずしも１ビットの信号に限られる必要はなく、例えば、予め定められた複数ビットからなる信号であっても構わない。
（３）実施の形態１において、登録要求フラグ４４３は、登録要求信号である旨を示す、例えば、０ｂ１となる１ビットの信号となる構成の例であった。しかしながら、登録要求信号である旨を示す信号であれば、必ずしも１ビットの信号に限られる必要はなく、例えば、予め定められた複数ビットからなる信号であっても構わない。
（４）さらに、実施の形態１において、登録許可フラグ４３３が、登録許可信号が送信される毎に値がランダムに設定されるビット列であり、登録要求フラグ４４３が、登録要求信号の送信に先立って受信された登録要求信号に含まれていた登録許可フラグに一致するビット列であるとしても構わない。
【０１１８】
このような構成とすることで、もし、タグリーダが複数存在したとしても、タグリーダのそれぞれは、タグから登録要求信号を受信したときに、自装置から送信した登録要求信号に対して応答された登録許可信号であるか否かを区別することができるようになる。
（５）実施の形態３において、起電回路１３２０は、起こした電力をＬＦ帯送信回路１３１０に供給する構成の例であった。しかしながら、起こした電力を少なくともＬＦ帯送信回路１３１０に供給することができれば、電力の供給先はＬＦ帯送信回路１３１０に限られる必要はない。例えば、電力の供給先が、ＬＦ帯送信回路１３１０とＣＰＵ３００とメモリ３１４となる構成の例等が考えられる。そして、このような構成においては、ＬＦ帯送信回路１３１０から電力が供給されることとなる回路は、電池３３０から電力は供給されないこととなる。
（６）実施の形態１において、タグリーダ１１０は、ユーザからの操作を電気信号に変換する操作スイッチ２１２を備える構成の例であった。しかしながら、操作スイッチ２１２は、ユーザからの操作を電気信号に変換する機能があれば、必ずしもスイッチというインターフェースに限られる必要はなく、例えば、タッチパッド等であっても構わない。
【０１１９】
また、実施の形態１において、タグ１２１は、ユーザからの操作を電気信号に変換するボタン３１２を備える構成の例であった。しかしながら、ボタン３１２は、ユーザからの操作を電気信号に変換する機能があれば、必ずしもボタンというインターフェースに限られる必要はなく、例えば、タッチパッド等であっても構わない。
（７）以下、さらに本発明の一実施形態に係る電気錠システムの構成及びその変形例と各効果について説明する。
【０１２０】
（ａ）本発明の一実施形態に係る電気錠システムは、１以上のタグと、タグリーダと、照合用情報を用いた照合により解錠される電気錠とからなる電気錠システムであって、前記タグリーダは、タグ識別子と登録要求情報とを含む登録要求信号を前記タグから受信した場合に限って、当該タグ識別子を、前記照合用情報として記憶することを特徴とする。
上述の構成を備える本実施の形態に係る電気錠システムによれば、タグリーダは、タグからタグ識別子を含む信号を受信した場合であっても、その信号が、登録情報を含む登録要求信号でなければ、その信号に含まれるタグ識別子を照合用情報として記憶しない。
【０１２１】
従って、タグリーダにタグ識別子を照合用タグ識別子として記憶させようと意図するタグに限って登録要求信号を送信させることで、タグリーダが意図しないタグのタグ識別子を照合用タグ識別子として記憶してしまう可能性を、従来よりも低減することができる。
（ｂ）また、前記タグリーダは、さらに、自機が登録モードである登録モード期間中に、登録許可情報を含むＬＦ帯の登録許可信号を送信し、登録要求信号は、ＵＨＦ帯の信号であり、前記タグは、前記タグリーダから送信された登録許可信号を受信した場合に限って登録要求信号を送信し、前記タグリーダは、前記記憶を、登録要求信号の受信が、前記登録モード期間中になされた場合に限って行うことを特徴とするとしてもよい。
【０１２２】
このような構成にすることによって、登録モード期間中のタグリーダから送信されるＬＦ帯の信号を受信する範囲内に存在するタグのみが、登録要求信号を送信することとなる。
従って、タグリーダが意図しないタグのタグ識別子を照合用タグ識別子として記憶してしまう可能性を、さらに低減することができる。
【０１２３】
（ｃ）また、前記タグリーダは、ユーザからの所定の操作を受け付ける操作受付部と、前記操作受付部が、前記所定の操作を受け付けた場合に、当該所定の操作を受け付けた時点から所定の期間、前記タグリーダを前記登録モードにするモード変更部とを有し、前記登録許可信号の送信を、前記モード変更部によって前記登録モードにされた場合に行うことを特徴とするとしてもよい。
【０１２４】
このような構成にすることによって、タグリーダは、ユーザが意図する期間に限って登録モードとなる。
従って、タグリーダが意図しないタグのタグ識別子を照合用タグ識別子として記憶してしまう可能性を、さらに低減することができる。
（ｄ）また、前記タグは、ユーザからの押下操作を受け付けるタグボタンを有し、前記登録要求信号の送信を、前記タグリーダから送信された登録許可信号を受信した後に、前記タグボタンによって前記押下操作が受け付けられた場合に限って行うことを特徴とするとしてもよい。
【０１２５】
このような構成にすることによって、タグは、登録許可信号を受信した場合であっても、ユーザが意図するときに限って登録要求信号を送信する。
従って、タグリーダが意図しないタグのタグ識別子を照合用タグ識別子として記憶してしまう可能性を、さらに低減することができる。
（ｅ）また、前記タグは、前記登録要求信号の送信を、前記登録要求情報として、前記タグリーダから送信された登録許可信号に含まれる登録許可情報を用いて行うことを特徴とするとしてもよい。
【０１２６】
このような構成にすることによって、タグリーダは、タグから受信する登録許可信号に含まれる登録要求情報を、自装置が送信する登録許可信号に含ませる登録許可情報とすることとなる。
従って、もし、タグリーダが複数存在する場合であっても、タグリーダのそれぞれは、タグから登録要求信号を受信したときに、自装置から送信した登録要求信号に対して応答された登録許可信号であるか否かを区別することができるようになる。
【０１２７】
（ｆ）本発明の一実施形態に係る電気錠システムは、１以上のタグと、タグリーダと、照合用情報を用いた照合により解錠される電気錠とからなる電気錠システムであって、前記タグリーダは、自機が登録モードとなる登録モード期間中に、登録許可情報を含むＬＦ帯の登録許可信号を送信し、前記タグは、前記タグリーダから、登録許可信号を受信した場合に、当該受信によって得られた電磁エネルギーを利用して、自機のタグ識別子を含むＬＦ帯の登録要求信号を送信し、前記タグリーダは、登録要求信号をタグから受信した場合に、当該登録要求信号に含まれるタグ識別子を、前記照合用情報として記憶することを特徴とする。
【０１２８】
上述の構成を備える本実施の形態に係る電気錠システムによれば、タグが送信する登録要求信号の伝播範囲は、比較的短く（数ｃｍ程度）なる。
従って、タグリーダは、タグから送信される登録要求信号の受信を、ユーザが、タグ識別子を記憶させようと意図してタグリーダにかざしたタグからの登録要求信号に限って行うこととなる。このことによって、タグリーダが意図しないタグのタグ識別子を照合用タグ識別子として記憶してしまう可能性は、従来よりも低減される。
【符号の説明】
【０１２９】
１００  電気錠システム
１１０  タグリーダ
１２１〜１２３  タグ
１３１、１３２  電気錠
１４０  ドア
２００  ＣＰＵ
２１０  ＬＦ帯送信回路
２１１  ＵＨＦ帯受信回路
２１２  操作スイッチ
２１３  ＬＥＤ
２１４  メモリ
２１５  タイマ
２１６〜２１７  電気錠駆動回路
２２１  ＬＦ帯アンテナ
２２２  ＵＨＦ帯アンテナ
２３０  電池
２４１、２５１  モータ
２４２、２５２  錠
２４３、２５３  施解錠センサ
３００  ＣＰＵ
３１０  ＬＦ帯受信回路
３１１  ＵＨＦ帯送信回路
３１２  ボタン
３１３  ＬＥＤ
３１４  メモリ
３２１  ＬＦ帯アンテナ
３２２  ＵＨＦ帯アンテナ
３３０  電池
【図１】
0005887566.tif 000002
【図２】
0005887566.tif 000003
【図３】
0005887566.tif 000004
【図４】
0005887566.tif 000005
【図５】
0005887566.tif 000006
【図６】
0005887566.tif 000007
【図７】
0005887566.tif 000008
【図８】
0005887566.tif 000009
【図９】
0005887566.tif 000010
【図１０】
0005887566.tif 000011
【図１１】
0005887566.tif 000012
【図１２】
0005887566.tif 000013
【図１３】
0005887566.tif 000014
【図１４】
0005887566.tif 000015
【図１５】
0005887566.tif 000016
【図１６】
0005887566.tif 000017